(57)【要約】【課題】裏面への発信部の取付による意匠面への影響を低減しつつ、発信部のリサイクルが容易な車両用外装部品及び発信部の取付構造を提供する。【解決手段】フロントドアモール（ＦＤモール）１４の裏面２３に、長手方向に延びるリブ２１を形成し、その一部に突出高さの小さい凹部２４を形成する。その凹部２４に取付部２５を突設する。発光ダイオードを収容する発光ユニット２７を、ケース３６の係止片３９を取付板２６の係止片保持部３３に係合させるとともに、固定片４０をねじ４１によりねじ受け部３４に締め付け固定する。そして、ＦＤモール１４の取付部２５を、取付板２６の取付孔３２に挿嵌した状態で、その取付部２５の先端を熱かしめして、取付板２６をＦＤモール１４の裏面に固定する。【選択図】      図２
2004276796.tif 000002
【特許請求の範囲】
【請求項１】
車両の外表面に取着される樹脂製の樹脂部品と、その樹脂部品と前記車両の車体の外側面との間に介装され、前記車両の外部に向かって所定の信号を発する発信部とを有する車両用外装部品において、
前記発信部を有する発信部ユニットを、前記樹脂部品とは別体の取付部材を介して前記樹脂部品に取着したことを特徴とする車両用外装部品。
【請求項２】
前記樹脂部品には、前記車体の外側面と対向する裏面上に、その樹脂部品の長手方向に延びるとともに前記車体側に向かってリブを突出させ、そのリブの一部に取付部を設け、前記取付部材における前記取付部に対応する部分に取付孔を穿設し、前記取付部を前記取付孔に嵌合させるとともに取付部の先端を熱かしめして、前記取付部材を前記樹脂部品に固定したことを特徴とする請求項１に記載の車両用外装部品。
【請求項３】
前記リブには、そのリブの一般部分に比べて、前記樹脂部品の裏面からの突出高さの低い凹部を設け、前記取付部をその凹部の底部から前記一般部分における先端とほぼ同等またはその凹部内に収まる突出高さとなるように形成したことを特徴とする請求項２に記載の車両用外装部品。
【請求項４】
前記取付部材は、前記発信部ユニットを取り付けるための取付座を有することを特徴とする請求項１〜請求項３のうちいずれか一項に記載の車両用外装部品。
【請求項５】
前記取付座は、前記発信部ユニットの一部を保持する保持部と、前記発信部ユニットの他の一部において前記発信部ユニットを固定する固定部とを備えることを特徴とする請求項４に記載の車両用外装部品。
【請求項６】
前記発信部ユニットは、所定の放射光を発する光源を有し、前記取付部材における少なくとも前記光源と対応する部分には、前記放射光の通過を許容する通過許容手段を備えることを特徴とする請求項１〜請求項５のうちいずれか一項に記載の車両用外装部品。
【請求項７】
前記通過許容手段が、前記放射光に対して透明な透明部材または開口であることを特徴とする請求項６に記載の車両用外装部品。
【請求項８】
車両の外部に向かって所定の信号を発する発信部を、車両の外表面に取着される樹脂製の樹脂部品に対し、その樹脂部品と前記車両の車体の外側面との間に介装した状態で取り付ける発信部の取付構造において、
前記発信部を前記信号の通過を許容する信号透過部を有する筐体内に収容して発信部ユニットを形成し、その発信部ユニットをその発信部ユニットを取り付けるための取付座を有し、前記樹脂部品とは別体の取付部材を介して前記樹脂部品に取着することを特徴とする発信部の取付構造。
【請求項９】
前記取付座は、前記発信部ユニットの一部を保持する保持部と、前記発信部ユニットの他の一部において前記発信部ユニットを固定する固定部とを備えることを特徴とする請求項８に記載の発信部の取付構造。
【発明の詳細な説明】
【０００１】
【発明の属する技術分野】
本発明は、車両のボディ上に取着される、例えばモール等の車両用外装部品と、その車両用外装部品に対する、例えば光源等の機能部品の取付構造に関するものである。
【０００２】
【従来の技術】
この種の車両用外装部品としては、例えばサイドマッドガードにおいて、その内部に光源を有する面発光装置を装着し、その面発光装置により照明を行い車両外面の意匠性を高めたものが知られている。この面発光装置では、透光板を、カバーの開口部に水密構造を確保するように固着することによりハウジングが形成されている。このハウジング内には、プリント基板が固定されており、そのプリント基板に複数の発光ダイオードが実装されている。この発光ダイオードから発せられた放射光が、カバーの内面層により反射または拡散され、透光板へと導かれるようになっている。この面発光装置のハウジングは、透光板がサイドマッドガードの吸気口に対向するようにして、前記透光板の表面をパンチングメタル等の保護板により保護した状態で、サイドマッドガードに取着されている。ここで、前記ハウジングは、サイドマッドガードの支持片に対して、前記保護板共々ボルトにより締め付け固定されている（特許文献１参照。）。
【０００３】
【特許文献１】
特開２００１−２１３２２９号公報（第３−５頁、第１図）
【０００４】
【発明が解決しようとする課題】
ところが、前記従来構成においては、サイドマッドガードの裏面上に大きく突出する前記支持片を一体的に形成しようとした場合、射出成形により形成されるサイドマッドガードの意匠面上にひけが生じやすくなり、サイドマッドガードの外観が悪化するおそれがある。
【０００５】
また、例えばサイドマッドガードと同様の車両用外装部品であっても、比較的薄物であるモール等では、モールの裏面と車両のボディの外側面との間のスペースは限られており、モールの裏面に大きな支持片を構成することは、困難である。このようなモールの裏面に前記のような面発光装置を取着しようとする場合には、例えば次のような取付機構が考えられる。
【０００６】
すなわち、モールの裏面にタッピングねじを保持するためのボスを突出形成して、そのボスに対して面発光装置をタッピングねじを用いて締め付け固定することによって、面発光装置を固定するというものである。しかしながら、この構成では、前記ボスをタッピングねじを受け止めるのに十分なだけ大きさに形成する必要があって、このボスの存在はモールの意匠面にひけを生じさせる要因となりやすい。
【０００７】
これに対して、前記ボスを小さくするとともに、前記面発光装置にそのボスに対応するような係合孔を穿設し、前記ボスの先端を係合孔に挿通した状態で押しつぶしつつ熱溶融及び冷却固化させることで熱かしめして、モールの裏面に面発光装置を固定することもできる。この構成によれば、ボスを小さくすることで、モールの意匠面上のひけを小さくすることは可能である。しかしながら、ボス自身に面発光装置を固定するために十分な強度を持たせるために、ボスを小さくするといっても限界がある。このため、意匠面上のひけを目立たなくする程度にボスを小さくすることは、製品の設計上の自由度を大幅に小さくするものであり、モール製造時における製造条件の調整が煩わしいものであった。しかも、車両が他の車両または地面上の構造物と接触するなどして、モールの交換の必要が生じたときに、高価な面発光装置がモールに対して強固に固着されているため、面発光装置をモールと一緒に交換する必要があるという新たな問題を生じることになる。
【０００８】
本発明は、このような従来の技術に存在する問題点に着目してなされたものである。その目的としては、裏面への発信部の取付による車両用外装部品の意匠面への影響を低減しつつ、発信部のリサイクルが容易な車両用外装部品及び発信部の取付構造を提供することにある。
【０００９】
【課題を解決するための手段及び発明の効果】
前記目的を達成するために、本願請求項１に記載の発明は、車両の外表面に取着される樹脂製の樹脂部品と、その樹脂部品と前記車両の車体の外側面との間に介装され、前記車両の外部に向かって所定の信号を発する発信部とを有する車両用外装部品において、前記発信部を有する発信部ユニットを、前記樹脂部品とは別体の取付部材を介して前記樹脂部品に取着したことを要旨とするものである。
【００１０】
この本願請求項１に記載の発明では、例えばモールのような比較的薄いものであっても、樹脂部品の裏面に大きな支持片を設けることなく、発信部を取り付けることができる。また、取付部材のみを樹脂部品に強固に固着させ、その取付部材に発信部ユニットを着脱可能に取着することによって、実使用時には発信部を樹脂部品に対してしっかり保持させることができる。一方、車両用外装部品に交換が必要となったときには、発信部ユニットを取付部材から取り外すことにより、発信部ユニットの再使用が可能となり、発信部のリサイクル性を向上させることができる。さらに、取付部材の形状及び大きさを適宜選択することにより、多様な車種あるいは多様な車両用外装部品に対して、単一の発信部ユニットを使用することができ、発信部ユニットを有する車両用外装部品の製造コストを低減することができる。
【００１１】
また、本願請求項２に記載の発明は、前記請求項１に記載の発明において、前記樹脂部品には、前記車体の外側面と対向する裏面上に、その樹脂部品の長手方向に延びるとともに前記車体側に向かってリブを突出させ、そのリブの一部に取付部を設け、前記取付部材における前記取付部に対応する部分に取付孔を穿設し、前記取付部を前記取付孔に嵌合させるとともに取付部の先端を熱かしめして、前記取付部材を前記樹脂部品に固定したことを要旨とするものである。
【００１２】
この本願請求項２に記載の発明では、前記請求項１に記載の発明の作用に加えて、樹脂製品の長手方向に延びるようにリブが形成されており、そのリブの延びる方向は樹脂製品の成形時における樹脂の流れる方向に沿ったものとなる。このため、樹脂製品の裏面にリブを形成したとしても、意匠面上にひけが生じにくいものとなる。そして、そのリブに設けた取付部を利用して、取付部材を樹脂製品に熱かしめにより固着することで、意匠面に影響を与えることなく、取付部材を樹脂製品に対して強固に固着させることができる。
【００１３】
また、本願請求項３に記載の発明は、前記請求項２に記載の発明において、前記リブには、そのリブの一般部分に比べて、前記樹脂部品の裏面からの突出高さの低い凹部を設け、前記取付部をその凹部の底部から前記一般部分における先端とほぼ同等またはその凹部内に収まる突出高さとなるように形成したことを要旨とするものである。
【００１４】
この本願請求項３に記載の発明では、前記請求項２に記載の発明の作用に加えて、樹脂部品の意匠面におけるひけの発生をより確実に抑制することができる。また、発信部ユニットが薄物の樹脂製品から大きく突出することを抑制することができる。
【００１５】
また、本願請求項４に記載の発明は、前記請求項１〜請求項３のうちいずれか一項に記載の発明において、前記取付部材は、前記発信部ユニットを取り付けるための取付座を有することを要旨とするものである。
【００１６】
この本願請求項４に記載の発明では、前記請求項１〜請求項３のうちいずれか一項に記載の発明の作用に加えて、取付部材に対する発信部ユニットの位置決めを容易に行うことができる。
【００１７】
また、本願請求項５に記載の発明は、前記請求項４に記載の発明において、前記取付座は、前記発信部ユニットの一部を保持する保持部と、前記発信部ユニットの他の一部において前記発信部ユニットを固定する固定部とを備えることを要旨とするものである。
【００１８】
この本願請求項５に記載の発明では、前記請求項４に記載の発明の作用に加えて、発信部ユニットの一部を取付部材の取付座の保持部に保持させた状態で、発信部ユニットの他の一部を固定部に固定することにより、発信部ユニットを簡単に取着することができる。
【００１９】
また、本願請求項６に記載の発明は、前記請求項１〜請求項５のうちいずれか一項に記載の発明において、前記発信部ユニットは、所定の放射光を発する光源を有し、前記取付部材における少なくとも前記光源と対応する部分には、前記放射光の通過を許容する通過許容手段を備えることを要旨とするものである。
【００２０】
また、本願請求項７に記載の発明は、前記請求項６に記載の発明において、前記通過許容手段が、前記放射光に対して透明な透明部材または開口であることを要旨とするものである。
【００２１】
この本願請求項６及び請求項７に記載の発明では、前記請求項１〜請求項５のうちいずれか一項に記載の発明の作用に加えて、光源を、例えばモール等に配設することによりモールに所定の文字やマーク、模様などを浮き出させることができて、車両の外面における意匠性を向上させることができる。
【００２２】
また、本願請求項８に記載の発明は、車両の外部に向かって所定の信号を発する発信部を、車両の外表面に取着される樹脂製の樹脂部品に対し、その樹脂部品と前記車両の車体の外側面との間に介装した状態で取り付ける発信部の取付構造において、前記発信部を前記信号の通過を許容する信号透過部を有する筐体内に収容して発信部ユニットを形成し、その発信部ユニットをその発信部ユニットを取り付けるための取付座を有し、前記樹脂部品とは別体の取付部材を介して前記樹脂部品に取着することを要旨とするものである。
【００２３】
この本願請求項８に記載の発明によれば、請求項１及び請求項４に記載の発明とほぼ同様の効果が発揮される。
また、本願請求項９に記載の発明は、前記請求項８に記載の発明において、前記取付座は、前記発信部ユニットの一部を保持する保持部と、前記発信部ユニットの他の一部において前記発信部ユニットを固定する固定部とを備えることを要旨とするものである。
【００２４】
この本願請求項９に記載の発明では、前記請求項８に記載の発明の作用に加えて、請求項５に記載の発明とほぼ同様の効果が発揮される。
【００２５】
【発明の実施の形態】
（第１実施形態）
以下に、本発明の車両用外装部品を、車体の側部の外表面に取着されるサイドプロテクトモール（以下、単に「モール」という）の一部に具体化した第１実施形態について図１〜図６に基づいて説明する。
【００２６】
図１に示すように、モール１１は、例えばポリプロピレン（ＰＰ）、オレフィン系熱可塑性エラストマ（ＴＰＯ）、ＥＰＤＭゴム等の樹脂により長尺状に形成されており、車両１２の側面において、車両前後方向に沿って延びるように取着されている。このモール１１は、車両前方側よりフロントフェンダモール１３と、樹脂製品としてのフロントドアモール（以下、「ＦＤモール」という）１４と、樹脂製品としてのリアドアモール（以下、「ＲＤモール」という）１５とからなっている。
【００２７】
前記ＦＤモール１４には、車両後方側の端部における裏面側に、車両１２に乗降しようとする乗員の足元を照明するフットライト１６が取着されている。このＦＤモール１４は、図２に示すように、断面略Ｃ字状に形成されており、その裏面にはＦＤモール１４の長手方向に延びる２本のリブ２１が突設されている。このリブ２１における車両後方側の端部には、一般部分２２に比べてＦＤモール１４の裏面２３からの突出高さの低い凹部２４が形成されている。この凹部２４内には、一対の取付部２５が突設されている。この取付部２５の突出高さは、前記リブ２１の一般部分２２の先端とほぼ同等となるように形成されている。
【００２８】
そして、この取付部２５に対して前記フットライト１６が取着されている。フットライト１６は、取付部材として取付板２６と、発信部ユニットとしての発光ユニット２７とからなっている。図４に示すように、発光ユニット２７内には、発信部及び光源としての発光ダイオード（以下、「ＬＥＤ」という）２８と基板２９とが収容されている。そして、このＬＥＤ２８から、車両１２の外部に向かって発せられる信号として、放射光が放射される。
【００２９】
図２及び図３に示すように、前記取付板２６は、平面長方形状をなしており、ＡＢＳ樹脂、ＰＰ等の樹脂材料で形成されている。取付板２６の四隅には、前記ＦＤモール１４の取付部２５と対応するように長孔状の取付孔３２が穿設されている。そして、この取付孔３２に前記ＦＤモール１４の取付部２５が挿通された状態で、その取付部２５の先端を加熱して軟化させた状態でつぶすことにより熱かしめして、取付板２６をＦＤモール１４上に固定するようになっている。
【００３０】
取付板２６上には、長手方向の一端側に断面門の字状の取付座の一部及び保持部をなす係止片保持部３３が突設されている。また、取付板２６の長手方向の他端部には、円筒状をなし取付座の一部及び固定部としてのねじ受け部３４が突設されている。このねじ受け部３４には、その先端面からねじ孔３５が穿設されている。
【００３１】
図４に示すように、前記発光ユニット２７における筐体としてのケース３６は、箱体３７と、信号透過部としての透明蓋体３８とで構成され、透明蓋体３８は箱体３７に対して水密に固着されている。ここで、透明蓋体３８は、例えばＡＢＳ樹脂、ポリカーボネート（ＰＣ）、アクリル樹脂（ＰＭＭＡ）等の透明樹脂材料で形成されており、前記ＬＥＤ２８からの放射光の通過を許容する。一方、箱体３７は、例えばＡＢＳ樹脂、ＰＰ等の樹脂材料で形成されており、例えば材料着色、表面塗装などの手法により、前記ＬＥＤ２８からの放射光を透過しないように形成されている。これにより、箱体３７の部分から迷光が放出されるのが抑制され、所望の方向のみに向かってＬＥＤ２８からの放射光が放出されるようになっている。
【００３２】
図５に示すように、このケース３６の一側面の一側縁には、前記取付板２６の係止片保持部３３内に挿通され、保持される発信部ユニットの一部としての係止片３９が突設されている。また、図５及び図６に示すように、ケース３６の前記一側面とは反対側の側面には、発信部ユニットの他の一部としての固定片４０が突設されている。この固定片４０には、ねじ４１が挿通される透孔４２が穿設されている。この固定片４０は、前記ケース３６が取付板２６に載置され、その係止片３９が係止片保持部３３に挿通された状態で、前記ねじ受け部３４の先端面に当接するようになっている。この状態で、ねじ４１を、透孔４２を通してねじ受け部３４のねじ孔３５に締め付けることにより、ケース３６が取付板２６上に固定される。なお、このケース３６の取付状態においては、ケース３６の透明蓋体３８が車両の下方を向くようになっている。
【００３３】
また、図２に示すように、前記ＦＤモール１４の側縁における前記ケース３６の透明蓋体３８と対向する部分には、透明材料からなる窓部材４３が取着されている。
【００３４】
以上のように構成されたＦＤモール１４では、例えば夜間等で、周囲が暗い時において、乗員が乗車あるいは降車しようしてドアが開けられると、前記ＬＥＤ２８が点灯され、ＬＥＤ２８から放射光が照射される。この放射光は、ケース３６の透明蓋体３８を介してＦＤモール１４内に照射され、次いでＦＤモール１４の下方に取着された窓部材４３を介して、乗員の足元の地面に照射される。
【００３５】
従って、本実施形態のＦＤモール１４によれば、以下のような効果を得ることができる。
（イ）  このＦＤモール１４では、ＬＥＤ２８を有する発光ユニット２７が、ＦＤモール１４とは別体の取付板２６を介してＦＤモール１４に取着されている。このため、ＦＤモール１４のような比較的薄いものであっても、ＦＤモール１４の裏面に大きな支持片を設けることなく、発光ユニット２７を取り付けることができる。
【００３６】
（ロ）  このＦＤモール１４では、取付板２６のみをＦＤモール１４に強固に固着させ、その取付板２６に発光ユニット２７がねじ４１により着脱可能に取着されている。このため、実使用時には、発光ユニット２７をＦＤモール１４に対してしっかり保持させることができる。一方、ＦＤモール１４に交換が必要となったときには、ねじ４１を外すことにより、発光ユニット２７を取付板２６から取り外すことができる。これにより、発光ユニット２７を容易に再使用することが可能となり、高価なＬＥＤ２８のリサイクル性を向上させることができる。さらに、取付板２６の形状及び大きさを適宜選択することにより、多様な車種あるいは多様な車両用外装部品に対して、単一の発光ユニット２７を使用することができる。そして、ＬＥＤ２８を有する車両用外装部品の製造コストを低減することができる。
【００３７】
（ハ）  このＦＤモール１４では、車両１２に対向する裏面２３上に、そのＦＤモール１４の長手方向に延びるとともに車両１２側に向かってリブ２１が突出され、そのリブ２１の一部に取付部２５が設けられている。そして、取付板２６には、取付部２５に対応する部分に取付孔３２が穿設され、その取付孔３２に取付部２５を嵌合させるとともに取付部２５の先端を熱かしめして、取付板２６をＦＤモール１４に固定している。
【００３８】
ここで、ＦＤモール１４の長手方向に延びるリブ２１は、ＦＤモール１４の成形時における樹脂の流れ方向に沿ったものである。このため、ＦＤモール１４の裏面２３に形成したリブ２１によって、ＦＤモール１４の意匠面（表面）上にひけが生じることを抑制することができる。そして、そのリブ２１に設けた取付部２５を利用して、取付板２６をＦＤモール１４に熱かしめにより固着することで、ＦＤモール１４の意匠面に影響を与えることなく、取付板２６をＦＤモール１４に対して強固に固着させることができる。
【００３９】
（ニ）  このＦＤモール１４では、リブ２１に設けた取付部２５の突出高さが、リブ２１の一般部分２２における先端とほぼ同等の突出高さとなるように形成されている。このため、ＦＤモール１４の厚さが、リブ２１の一般部分２２と比べて取付部２５のところで大きくなることがない。これにより、ＦＤモール１４の意匠面におけるひけの発生をより確実に抑制することができる。
【００４０】
（ホ）  このＦＤモール１４では、リブ２１に設けた取付部２５が、凹部２４内に設けられている。このため、発光ユニット２７がＦＤモール１４の裏面から大きく突出することを抑制することができる。
【００４１】
（ヘ）  このＦＤモール１４では、取付板２６に、発光ユニット２７を取り付けるための取付座として、発光ユニット２７の係止片３９を保持する係止片保持部３３と、発光ユニット２７の固定片４０をねじ４１を介して固定するねじ受け部３４とを備えている。このため、取付板２６に対する発光ユニット２７の位置決めを容易に行うことができる。また、発光ユニット２７の係止片３９を取付板２６の係止片保持部３３に保持させた状態で、発光ユニット２７の固定片４０の透孔４２を通してねじ４１をねじ受け部３４のねじ孔３５に締め付け固定することにより、発光ユニット２７を簡単に取着することができる。
【００４２】
（第２実施形態）
次に、本発明の車両用外装部品を、前記第１実施形態と同様にモール１１の一部に具体化した第２実施形態について、図１及び図７に基づいて、前記第１実施形態とは異なる部分を中心に説明する。
【００４３】
図１に示すように、この第２実施形態のＲＤモール１５は、その意匠面５１後端の開口部５２に取着され、文字等の意匠が施された意匠部材５３を照明する照明装置５４（図７参照）を備えたものとなっている。このＲＤモール１５において、車両１２の外部に向かって発せられる信号は、照明装置５４内部のＬＥＤ２８から放射される放射光である。
【００４４】
この意匠部材５３は、ＡＢＳ樹脂、ＰＣ、ＰＰ、ポリエチレン（ＰＥ）等の透明または半透明の樹脂材料からなり、照明装置５４からの放射光を透過させる透過部とその放射光を透過しない遮光部とを有している。そして、透過部の形状と遮光部の形状との組み合わせにより、前記意匠が構成される。なお、前記開口部５２は、ＲＤモール１５のリブ２１間に位置するように形成されている。
【００４５】
図７に示すように、前記照明装置５４は、取付部材及び透明部材としての取付板５５と、発信部ユニットとしての発光ユニット５６とからなっている。この取付板５５は、概略構成において前記第１実施形態の取付板２６と同じであるが、例えばＡＢＳ樹脂、ＰＣ、アクリル樹脂（ＰＭＭＡ）等の透明樹脂材料で形成されている点で前記取付板２６とは異なっている。すなわち、この取付板５５は、発光ユニット５６から放射される放射光の通過を許容する通過許容手段の役割をも担っている。
【００４６】
また、前記発光ユニット５６は、概略構成において前記第１実施形態の発光ユニット２７と同じであるが、取付板５５に固定された状態で透明蓋体３８が取付板２６に接合するように構成された点で前記発光ユニット２７と異なっている。
【００４７】
このように構成されたＲＤモール１５では、例えば夜間等で周囲が暗く、車幅灯や前照灯が点灯されているような状態で、発光ユニット２７内のＬＥＤ２８が点灯される。このＬＥＤ２８からの放射光は、発光ユニット５６におけるケース３６の透明蓋体３８、取付板５５を通して、意匠部材５３の裏面に照射される。この放射光の照射により、意匠部材５３が裏面から照明され、車両１２の側面において意匠部材５３に施された意匠が視認されるようになる。
【００４８】
従って、この第２実施形態のＲＤモール１５によれば、前記第１実施形態の（イ）〜（ヘ）項に記載した効果とほぼ同等の効果に加えて、以下のような効果を得ることができる。
【００４９】
（ト）  このＲＤモール１５では、発光ユニット５６に光源をなすＬＥＤ２８が収容され、その発光ユニット５６が取付られる取付板５５が透明材料で形成されている。これにより、発光ユニット５６内のＬＥＤ２８からの放射光により、ＲＤモール１５に所定の文字やマーク、模様などを浮き出させることができて、車両１２の外面における意匠性を向上させることができる。
【００５０】
（変形例）
なお、本発明の実施形態は、以下のように変更してもよい。
・  前記第２実施形態では、ＲＤモール１５の意匠面５１に意匠を表出させる照明装置５４を取着する構成とした。これに対して、意匠部材５３に代えて透明材料からなる窓部材を設け、照明装置５４に代えて、例えば光学式、電磁式等の近接センサを設けて、モール１１にプリクラッシュセンサを設ける構成としてもよい。また、ＣＣＤカメラを設ける構成としてもよい。
【００５１】
・  また、前記第２実施形態では、取付板５５を透明材料で構成することにより、ＬＥＤ２８からの放射光の通過を許容するようにした。これに対して、取付板５５の放射光の照射される部分に開口を設けて、その放射光の通過を許容するようにしてもよい。
【００５２】
・  また、ＲＤモール１５にフットライト１６を設ける構成としてもよい。
・  また、ＦＤモール１４に意匠部材５３及び照明装置５４を設ける構成としてもよい。
【００５３】
・  また、前記各実施形態では、発光ユニット２７のケース３６の係止片３９を取付板２６、５５における係止片保持部３３に係合させて、発光ユニット２７、５６を取付板２６、５５に保持する構成とした。これに対して、取付板２６，５５または発光ユニット２７，５６の一方にクリップを設け、取付板２６，５５または発光ユニット２７，５６の他方にクリップと係合する係合部を設けて、発光ユニット２７，５６を取付板２６，５５上に保持する構成としてもよい。
【００５４】
・  また、前記各実施形態では、発光ユニット２７のケース３６の固定片４０をねじ４１により取付板２６、５５におけるねじ受け部３４のねじ孔３５に締め付け固定することで、発光ユニット２７、５６を取付板２６、５５に固定する構成とした。これに対して、取付板２６，５５または発光ユニット２７，５６の一方にクリップを設け、取付板２６，５５または発光ユニット２７，５６の他方にクリップと係合する係合部を設けて、発光ユニット２７，５６を取付板２６，５５上に固定する構成としてもよい。
【００５５】
・  また、前記各実施形態では、本発明を車両１２の側面に取着されるモール１１に具体化したが、車両の外表面上に取着され、外部に向かって、光、電磁波、音波、磁力線等の信号を発する発信部を有するものであれば、モール１１に限定されるものではない。本発明は、例えばバンパ、ルーフモール、サイドマッドガード、フロントスポイラ、リアスポイラ、フロントグリル、バックパネル等において具体化することができる。
【図面の簡単な説明】
【図１】第１及び第２実施形態のモールを装着した車両を示す側面図。
【図２】図１のモールとフットライトとを示す分解斜視図。
【図３】図１のモールとフットライトとの組み付け状態を示す斜視図。
【図４】図３の４−４線断面図。
【図５】図３の５−５線断面図。
【図６】図３の６−６線断面図。
【図７】第２実施形態の意匠部材及び照明装置の装着状態を示す断面図。
【符号の説明】
１１…樹脂部品及び車両用外装部品としてのサイドプロテクトモール（モール）、１２…車両、２１…リブ、２２…一般部分、２３…裏面、２４…凹部、２５…取付部、２６…取付部材としての取付板、２７，５６…発信部ユニットとしての発光ユニット、２８…発信部及び光源としての発光ダイオード（ＬＥＤ）、３２…取付孔、３３…取付座の一部及び保持部としての係止片保持部、３４…取付座の一部及び固定部としてのねじ受け部、３６…筐体としてのケース、３８…信号透過部としての透明蓋体、３９…発信部ユニットの一部としての係止片、４０…発信部ユニットの他の一部としての固定片、４３…通過許容手段をなす窓部材、５５…取付部材及び通過許容手段及び透明部材としての取付板。
【図１】
2004276796.tif 000003
【図２】
2004276796.tif 000004
【図３】
2004276796.tif 000005
【図４】
2004276796.tif 000006
【図５】
2004276796.tif 000007
【図６】
2004276796.tif 000008
【図７】
2004276796.tif 000009